(57)【要約】【課題】小物入れの位置が自由に変えられ大きな調理器具のセット性に優れた食器洗い機を提供する。【解決手段】洗浄槽１内に、食器類１０を収納する樹脂カゴ１６と、少なくとも一壁面に格子部１９を有し小物類１１を収納する小物入れ２０とを備え、前記樹脂カゴ１６の側面に側面視が略Ｌ型の突起１７と、平面視が凹状の爪部を有する突起１８とを設け、両方の前記突起１７、１８を前記格子部１９に挿入して、前記小物入れ２０を前記樹脂カゴ１６に係止するようにしたもので、簡単な構成で、小物入れ２０の位置を、格子部１９と突起１７、１８の組合せにより、自由に、色々変えられるので、食器類、小物類のセット点数にあまり影響受けることなく、鍋やフライパンなどの大きな調理器具１４もセットできるようになり、セット性が向上できるものである。【選択図】図１
2007130123.tif 000002
【特許請求の範囲】
【請求項１】
洗浄槽内に、食器類を収納するカゴと、少なくとも一壁面に格子部を有し小物類を収納する小物入れとを備え、前記カゴの側面に側面視が略Ｌ型の突起と、平面視が凹状の爪部を有する突起とを設け、両方の前記突起を前記格子部に挿入して、前記小物入れを前記カゴに係止するようにした食器洗い機。
【発明の詳細な説明】
【技術分野】
【０００１】
本発明は、カゴにセットした食器類に洗浄水を噴射して洗浄する食器洗い機に関するものである。
【背景技術】
【０００２】
従来の、一般的な食器洗い機は、図５、６に示すように構成されていた（例えば、特許文献１参照）。以下、その従来の食器洗い機の構成について説明する。
【０００３】
図５において、従来の食器洗い機は、前面に開口部１ａをもつ洗浄槽１と、開口部１ａを開閉する扉２と、洗浄槽１の底部中央に設けられ洗浄水を噴射するノズル３と、洗浄槽１内に配された食器収容用の上段カゴ４と下段カゴ５などから構成されている。扉２を開けているときには、下段カゴ５は、扉２と洗浄槽１との間を前後方向に引き出し移動可能である。上段カゴ４は、洗浄槽１内の壁面に設けられたレール部６によって、前後方向に移動可能に支持されている。
【０００４】
また、下段カゴ５上の中央付近に小物入れ７が固定され、洗浄槽１の底部には洗浄水を加熱するヒータ８が設けられ、洗浄槽１の下部の外側に、洗浄ポンプ９が設けられている。なお、食器類１０は、上段カゴ４、下段カゴ５にセットされ、小物入れ７には、スプーン、フォーク等のカトラリーの小物類１１がセットされ、洗浄槽１内の下部には排水口１２が設けられている。
【０００５】
また、図６は、小物入れ７を下段カゴ５にセットした状態を示す正面図で、小物入れ７は、下段カゴ５上に棒状の線材で構成された固定部１３に固定されている。よって、小物入れ７の位置は使用者が自由に変更できないようになっている。なお、図中の下段カゴ５上には、鍋などの調理器具１４もセットされている。
【０００６】
ここで、上記従来の食器洗い機の動作について説明する。
【０００７】
先ず、扉２を開いて扉２上に下段カゴ５を引き出して食器類１０と小物入れ７に小物類１１をセットする動作と、上段カゴ４を前方に引き出して食器類１０をセットする動作を行う。そして、食器洗い機の運転が開始されると、洗浄槽１内の洗浄水は、ヒータ８によって温水化され、洗浄ポンプ９にて洗浄槽１内の排水口１２から吸い込まれ、ノズル３に圧送され、ノズル３より勢いよく食器類１０や小物類１１に噴射される。なお、ノズル３は回転しながら、洗浄水を噴射する。このようにして、上段カゴ４、下段カゴ５にセットされた食器類１０、調理器具１４、小物入れ７にセットされた小物類１１が洗浄される。
【特許文献１】特開２００４−３２１２８３号公報
【発明の開示】
【発明が解決しようとする課題】
【０００８】
しかしながら、上記従来の食器洗い機の小物入れ７は、下段カゴ５に設けた固定部１３に固定されているため、使用者が、鍋やフライパンなどの大きな調理器具１４を下段カゴ５にセットし、食器類１０、小物類１１と一緒に洗う場合、小物入れ７が邪魔になるという課題があった。何故なら、調理器具１４の大きさは、洗浄槽１とほぼ同じ大きさで、洗浄槽１のスペースのほとんどを占めると共に、小物入れ７のセットスペースも、大皿の２〜３枚程度のセットスペースを必要とするからである。
【０００９】
よって、調理器具１４と一緒に食器類１０をセットする場合、食器類１０のセットスペースがほとんど残っていない。しかも、食器類１０でも茶碗と大皿では、その形状、大きさ等が違い、上段カゴ４、下段カゴ５上のセット位置も異なる。よって、茶碗と調理器具１４、大皿と調理器具１４を一緒に洗うときでは、調理器具１４のセット位置が変わり、小物入れ７の位置が当初の位置では、一緒にセットできないことがあった。
【００１０】
また、小物入れ７を洗浄槽１の端や隅部にセットすれば、調理器具１４、食器類１０のセットにあまり影響しないと考えられるが、大きな調理器具１４を小物入れ７の横にセットすると、調理器具１４が、小物入れ７にセットした小物類１１を洗浄するための洗浄水を遮る壁となりやすく、小物類１１の洗浄性能を著しく低下させるという課題があった。
【００１１】
本発明は、上記従来の課題を解決するもので、小物入れへの小物類のセット性を維持しながら、鍋やフライパンなどの大きな調理器具のセット性が向上した食器洗い機を提供することを目的としている。
【課題を解決するための手段】
【００１２】
上記従来の課題を解決するために、本発明の食器洗い機は、洗浄槽内に、食器類を収納するカゴと、少なくとも一壁面に格子部を有し小物類を収納する小物入れとを備え、前記カゴの側面に側面視が略Ｌ型の突起と、平面視が凹状の爪部を有する突起とを設け、両方の前記突起を前記格子部に挿入して、前記小物入れを前記カゴに係止するようにしたもので、簡単な構成で、小物類を収納する小物入れの位置を、格子部とカゴ側面に設けた突起の組合せにより、食器類のセットと同じように、自由に、色々変えられ、確実に小物入れを固定できる。しかも、小物入れの壁面に多くの格子部を設けておけば、同じ一箇所の突起でも、前後方向に、上下方向に、左右方向に細かく小物入れの移動が可能となる。よって、食器類、小物類のセット点数にあまり影響受けることなく、鍋やフライパンなどの大きな調理器具もセットできるようになり、セット性が向上できるものである。
【発明の効果】
【００１３】
本発明の食器洗い機は、簡単な構成で、小物類を収納する小物入れの位置を、自由に、色々な位置に変えられるので、食器類、小物類のセット点数にあまり影響受けることなく、鍋やフライパンなどの大きな調理器具もセットできるようになり、セット性が向上できるものである。
【発明を実施するための最良の形態】
【００１４】
第１の発明は、洗浄槽内に、食器類を収納するカゴと、少なくとも一壁面に格子部を有し小物類を収納する小物入れとを備え、前記カゴの側面に側面視が略Ｌ型の突起と、平面視が凹状の爪部を有する突起とを設け、両方の前記突起を前記格子部に挿入して、前記小物入れを前記カゴに係止するようにしたもので、簡単な構成で、小物類を収納する小物入れの位置を、格子部とカゴ側面に設けた突起の組合せにより、食器類のセットと同じように、自由に、色々変えられ、確実に小物入れを固定できる。しかも、小物入れの壁面に多くの格子部を設けておけば、同じ一箇所の突起でも、前後方向に、上下方向に、左右方向に細かく小物入れの移動が可能となる。よって、食器類、小物類のセット点数にあまり影響受けることなく、鍋やフライパンなどの大きな調理器具もセットできるようになり、セット性が向上できるものである。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における食器洗い機の正面図、図２は、同食器洗い機の小物入れの取付け部分の拡大図、図３は、同小物入れをセットした状態を示す図、図４は、同食器洗い機の小物入れのセット例を示す状態図である。なお、従来の食器洗い機と同一部分については、同一符号を付してその説明を省略する。
【００１７】
図１において、本実施の形態における食器洗い機の下段には、樹脂で形成され食器類１０や調理器具１４を収納するカゴとなる樹脂カゴ１６が配されている。
【００１８】
また、樹脂カゴ１６の側面には、図２に示すように側面視が略Ｌ型の突起１７と、平面視が略凹状の爪部を有する突起１８が設けられ、この両方の突起１７、１８に、壁面に格子部１９を有する小物入れ２０が取り付けられるように構成されている。なお、両方の突起１７、１８は、複数設けられ、それぞれの大きさは、格子部１９より小さく形成されている。
【００１９】
以上のように構成された食器洗い機における小物入れ２０の使用方法について説明する。
【００２０】
樹脂カゴ１６の側面への小物入れ２０の取付は、小物入れ２０の格子部１９に、樹脂カゴ１６側面に設けた突起１７、１８を嵌合させることにより行う。なお、側面視が略Ｌ型の突起１７は、格子部１９の横桟に嵌合させ小物入れ２０の上下方向の固定に、平面視が凹状の爪部を有する突起１８は、格子部１９の横桟に嵌合させ小物入れの左右方向の固定の役目をしている。
【００２１】
よって、樹脂カゴ１６の側面の色々な場所に設けた複数の突起１７、１８の位置に対して小物入れ２０の位置を変えることにより、食器類１０のセットと同じように自由に、小物入れ２０の位置を変えることができる。また、小物入れ２０の格子部１９と樹脂カゴ１６の側面に設けた突起部１７、１８の組合せによっても、小物入れ２０の格子部１９の位置を変えて係止することにより、小物入れ２０の位置を、簡単な構成で食器類１０のセットと同じように、自由に、色々変えられると共に、確実に小物入れ２０を固定できる。しかも、小物入れ２０の壁面に設けた多くの格子部１９を利用すれば、同じ一箇所の突起でも、格子部１９の色々な場所を利用すれば、前後方向に、上下方向に、左右方向に、細かく移動させることができる。
【００２２】
これにより、当初の位置では小物入れ２０が邪魔になり、食器類１０、小物類１１と一緒に、鍋やフライパンなどの大きな調理器具１４がセットできない場合、調理器具１４がセットできても、食器類１０、小物類１１のセットできる点数が大幅に減る場合、大きな調理器具１４が、物入れ２０にセットした小物類１１の洗浄性を低下させる場合でも、小物入れ２０の位置を変えることにより、食器類１０、小物類１１のセット点数にあまり影響与えることなく、しかも洗浄性能にも影響せず、鍋やフライパンなどの大きな調理器具１４もセットできるようになり、セット性が向上できるものである。また、図示していないが、上下の位置を変えることで、長い調理器具１４を入れたり、短い場合は上へ上げて取り出し易くする等の使い方もできる。
【００２３】
また、図３は、小物入れ２０を樹脂カゴ１６内の色々な場所にセットした場合の例、図４は、小物入れ２０を、一箇所の同じ突起１７、１８で、格子部１９の色々な場所を利用し、図４（ｂ）に示すように、左に少し移動させることで、食器類１０の一つである皿１枚を余分にセットできるようになる例である。
【００２４】
また、小物入れ２０の格子部１９と突起部１７、１８の嵌合により取り付ける構成なので、樹脂等で簡単に形成しやすく、確実に小物入れ２０を固定でき、しかもコストもかからないというメリットもある。
【産業上の利用可能性】
【００２５】
以上のように、本発明に係る食器洗い機は、簡単な構成で、食器類、小物類、調理器具等のセット性に優れたもので、家庭用、業務用食器洗い機に広く適用できるものである。
【図面の簡単な説明】
【００２６】
【図１】本発明の実施の形態１における食器洗い機の正面図
【図２】同食器洗い機の小物入れの取付け部分の拡大図
【図３】同食器洗い機の樹脂カゴに小物入れをセットした状態を示す図
【図４】（ａ）同小物入れのセット例を示す状態図（ｂ）同小物入れの他のセット例を示す状態図
【図５】従来の食器洗い機の側断面図
【図６】同食器洗い機の正面図
【符号の説明】
【００２７】
１  洗浄槽
１０  食器類
１１  小物類
１４  調理器具
１６  樹脂カゴ（カゴ）
１７、１８  突起
１９  格子部
２０  小物入れ
【図１】
2007130123.tif 000003
【図２】
2007130123.tif 000004
【図３】
2007130123.tif 000005
【図４】
2007130123.tif 000006
【図５】
2007130123.tif 000007
【図６】
2007130123.tif 000008